(57)【要約】【課題】棚板の傾斜角度を所望の大きさに変更すること。【解決手段】ケース本体１の内部に前方に向けて配設されたブラケット部材２０にスライダ６０を介して取り付けられた補助側壁部材３０の上部に棚板４０が支持されることによって、棚板４０が前後方向に沿ってスライド可能な商品載置棚１０が構成され、棚板４０は、前端部が棚支持軸４４を介して補助側壁部材３０に支持されて後端部が上下に揺動可能に配設され、棚板４０の傾斜角度を予め決められた角度範囲の中から択一的に選択された大きさに可変させる角度可変機構５０は、棚板４０に設けられた選択ユニット５０ａに選択された傾斜角度の大きさに応じて前後方向に沿って変位しつつ傾斜姿勢が変化する態様で設けられたアーム部５２を備え、かつアーム部５２がブラケット部材２０に突出する態様で設けられた突部５０ｂに載置する場合に、棚板４０を選択された傾斜角度に傾斜させるものである。【選択図】図４
2020068975.tif 000002
【特許請求の範囲】
【請求項１】
前面に開口を有したケース本体の内部に前方に向けてブラケット部材が配設され、該ブラケット部材にスライダを介して取り付けられた補助側壁部材の上部に棚板が支持されることによって、前記棚板が前記開口を通じて前後方向に沿ってスライド可能な商品載置棚が構成されたショーケースにおいて、
前記棚板は、前端部が棚支持軸を介して前記補助側壁部材に支持され、前記棚支持軸を中心に後端部が前記補助側壁部材に対して上下に揺動可能に配設されており、
前記前端部が低くなる態様で傾斜する前記棚板の傾斜角度を、予め決められた角度範囲の中から択一的に選択された大きさに可変させる角度可変機構を備え、
前記角度可変機構は、前記棚板に設けられた選択ユニット及び前記ブラケット部材の一方に選択された傾斜角度の大きさに応じて前後方向に沿って変位しつつ傾斜姿勢が変化する態様で設けられたアーム部を備え、かつ該アーム部が前記選択ユニット及び前記ブラケット部材の他方に突出する態様で設けられた突部に接する場合に、前記棚板を選択された傾斜角度に傾斜させることを特徴とするショーケース。
【請求項２】
前記アーム部は、前記選択ユニットに設けられており、
前記角度可変機構は、該アーム部が前記ブラケット部材に突出する態様で設けられた突部に載置される場合に、前記棚板を選択された傾斜角度に傾斜させることを特徴とする請求項１に記載のショーケース。
【請求項３】
前記突部は、前記ブラケット部材に外側に突出する態様で設けられたことを特徴とする請求項２に記載のショーケース。
【請求項４】
前記棚板の前端部に、左右方向に沿って延在する軸部の軸心回りに回転可能に配設されたストッパを備え、
前記ストッパは、前記ブラケット部材に設けられた孔部に自身のフック部が進入した場合には、前記棚板を後方にスライドした状態に保持する一方、前記孔部から前記フック部が離脱した場合には、前記棚板が前方にスライドすることを許容することを特徴とする請求項１〜３のいずれか１つに記載のショーケース。
【発明の詳細な説明】
【技術分野】
【０００１】
本発明は、ケース本体の内部に商品を載置するための商品載置棚を備えたショーケースに関するものである。
【背景技術】
【０００２】
従来、例えばスーパーマーケットやコンビニエンスストア等の店舗では、販売商品を商品載置棚に載置させた状態でケース本体の内部に収納するようにしたショーケースが多く適用されている。商品載置棚は、例えば左右一対のブラケット部材の間に棚板を支持させることによって構成されたものである。この種のショーケースには、販売商品を見易くする目的で、あるいは商品載置棚の前方に載置された商品が取り出された場合に後方に載置された販売商品を前方に滑り出させる目的で、棚板の前端部が低くなるように傾斜して配置することができるものが提供されている（例えば、特許文献１参照）。
【先行技術文献】
【特許文献】
【０００３】
【特許文献１】特開２００３−２４５１７０号公報
【発明の概要】
【発明が解決しようとする課題】
【０００４】
ところで、上述したショーケースでは、棚板の傾斜角度が決められており、設置されたロケーション事情や寸法誤差等により傾斜角度を変更することができなかった。
【０００５】
本発明は、上記実情に鑑みて、棚板の傾斜角度を所望の大きさに変更することができるショーケースを提供することを目的とする。
【課題を解決するための手段】
【０００６】
上記目的を達成するため、本発明に係るショーケースは、前面に開口を有したケース本体の内部に前方に向けてブラケット部材が配設され、該ブラケット部材にスライダを介して取り付けられた補助側壁部材の上部に棚板が支持されることによって、前記棚板が前記開口を通じて前後方向に沿ってスライド可能な商品載置棚が構成されたショーケースにおいて、前記棚板は、前端部が棚支持軸を介して前記補助側壁部材に支持され、前記棚支持軸を中心に後端部が前記補助側壁部材に対して上下に揺動可能に配設されており、前記前端部が低くなる態様で傾斜する前記棚板の傾斜角度を、予め決められた角度範囲の中から択一的に選択された大きさに可変させる角度可変機構を備え、前記角度可変機構は、前記棚板に設けられた選択ユニット及び前記ブラケット部材の一方に選択された傾斜角度の大きさに応じて前後方向に沿って変位しつつ傾斜姿勢が変化する態様で設けられたアーム部を備え、かつ該アーム部が前記選択ユニット及び前記ブラケット部材の他方に突出する態様で設けられた突部に接する場合に、前記棚板を選択された傾斜角度に傾斜させることを特徴とする。
【０００７】
また本発明は、上記ショーケースにおいて、前記アーム部は、前記選択ユニットに設けられており、前記角度可変機構は、該アーム部が前記ブラケット部材に突出する態様で設けられた突部に載置される場合に、前記棚板を選択された傾斜角度に傾斜させることを特徴とする。
【０００８】
また本発明は、上記ショーケースにおいて、前記突部は、前記ブラケット部材に外側に突出する態様で設けられたことを特徴とする。
【０００９】
また本発明は、上記ショーケースにおいて、前記棚板の前端部に、左右方向に沿って延在する軸部の軸心回りに回転可能に配設されたストッパを備え、前記ストッパは、前記ブラケット部材に設けられた孔部に自身のフック部が進入した場合には、前記棚板を後方にスライドした状態に保持する一方、前記孔部から前記フック部が離脱した場合には、前記棚板が前方にスライドすることを許容することを特徴とする。
【発明の効果】
【００１０】
本発明によれば、棚板は、前端部が棚支持軸を介して補助側壁部材に支持され、棚支持軸を中心に後端部が補助側壁部材に対して上下に揺動可能に配設されており、角度可変機構が、前端部が低くなる態様で傾斜する棚板の傾斜角度を、予め決められた角度範囲の中から択一的に選択された大きさに可変させるので、棚板の傾斜角度を所望の大きさに変更することができるという効果を奏する。
【図面の簡単な説明】
【００１１】
【図１】図１は、本発明の実施の形態であるショーケースを示す断面側面図である。
【図２】図２は、図１に示した１つの商品載置棚を示す斜視図である。
【図３】図３は、図１に示した１つの商品載置棚の要部を拡大して示す拡大斜視図である。
【図４】図４は、図１に示した１つの商品載置棚の要部の分解斜視図である。
【図５】図５は、図２〜図４に示した商品載置棚の要部を示す側面図である。
【図６】図６は、図２〜図４に示した商品載置棚の要部を示す斜視図である。
【図７】図７は、図６に示したストッパを示す側面図である。
【図８】図８は、図７に示したストッパのフック部がストッパ用孔に進入した状態を示す側面図である。
【図９】図９は、図７に示したストッパのフック部がストッパ用孔から離脱した状態を示す側面図である。
【図１０】図１０は、図２及び図４に示した角度可変機構を構成する選択ユニットの分解斜視図である。
【図１１】図１１の（ａ）〜（ｃ）は、それぞれ図１０に示した選択ユニットに対する選択動作を示す説明図である。
【図１２】図１２は、棚板が収納状態にある商品載置棚の側面図である。
【図１３】図１３は、棚板が補充状態にある商品載置棚の側面図である。
【図１４】図１４は、補充状態にある棚板を後方にスライドさせた商品載置棚の側面図である。
【図１５】図１５は、棚板が収納状態にある商品載置棚の側面図である。
【図１６】図１６は、補充状態にある棚板を後方にスライドさせた商品載置棚の側面図である。
【図１７】図１７は、棚板が収納状態にある商品載置棚の側面図である。
【発明を実施するための形態】
【００１２】
以下に添付図面を参照して、本発明に係るショーケースの好適な実施の形態について詳細に説明する。
【００１３】
図１は、本発明の実施の形態であるショーケースを示す断面側面図である。ここで例示するショーケースは、例えばコンビニエンスストア等の店舗において販売商品をケース本体１の内部に収納するものである。本実施の形態では特に、要冷蔵商品を収納するための冷蔵用ショーケースを例示している。
【００１４】
すなわち、このショーケースでは、ケース本体１の内部に背面板２を設けることによって背面板２とケース本体１の後壁１ａとの間に通風ダクト３を構成するとともに、背面板２よりも前方に収納室４を構成している。通風ダクト３の内部には、蒸発器５や送風ファン６を配設している。蒸発器５は、図示していないコンデンシングユニットとともに冷凍サイクルを構成し、通過する空気との間において熱交換を行うものである。このショーケースでは、図示せぬコンデンシングユニット及び送風ファン６を駆動すれば、蒸発器５を通過した空気が通風ダクト３を通じて収納室４に循環供給され、収納室４が所望の冷蔵温度に維持されることになる。
【００１５】
ケース本体１は、前面に開口（以下、前面開口ともいう）１ｂを有した箱状を成すもので、収納室４に複数段の商品載置棚１０を備えている。収納室４の各段の商品載置棚１０は、同様の構成を有したものであるから、以下では１つの商品載置棚１０について説明を行う。
【００１６】
図２〜図４は、それぞれ図１に示した１つの商品載置棚１０を示すもので、図２は斜視図、図３は要部を拡大して示す拡大斜視図、図４は要部の分解斜視図である。商品載置棚１０は、図２〜図４に示すように、ブラケット部材２０、補助側壁部材３０、棚板４０及び角度可変機構５０を備えて構成してある。
【００１７】
ブラケット部材２０は、背面板２の左右両側の前面に取り付けた棚支柱７から前方に突出するように配設したものである。つまり、ブラケット部材２０は、ケース本体１の内部である収納室４に互いに離隔する態様で前方に向けて配設した左右一対のものである。以下においては便宜上、２つのブラケット部材２０において互いに近接した方向を内側と称し、互いに離反した方向を外側と称して説明する。
【００１８】
ブラケット部材２０は、板金等から形成したものであり、側壁部２１及び上壁部２２を一体に成形することによって構成してある。側壁部２１は、ブラケット部材２０の主要な構成要素であり、前後方向が長手方向となる長尺状部分である。この側壁部２１は、後端部の上下寸法が該後端部よりも前方側の領域の上下寸法よりも大きく形成してあり、該後端部の後端部分には後方に突出する複数の係止片２１ａが形成してある。これら係止片２１ａは、棚支柱７の前面に設けられた図示せぬ係止孔の任意に挿入することが可能である。係止片２１ａを係止孔に挿入した場合には、側壁部２１の後端部分が棚支柱７の前面に当接することになり、ブラケット部材２０を棚支柱７の任意の高さに略水平の片持ち状態で支持させることが可能である。
【００１９】
この側壁部２１の内側には、スライダ６０の図示せぬ外側構成要素が取り付けてある。スライダ６０は、従来公知のものであり、外側構成要素に対して該スライダ６０を構成する図示せぬ内側構成要素が前後方向にスライドすることを許容するものである。かかるスライダ６０については、適宜図示から省略する。上壁部２２は、側壁部２１の上端縁部より内側に向けて延在する水平延在部分である。
【００２０】
補助側壁部材３０は、板金等から形成したものであり、前後方向が長手方向となる長尺状部材である。この補助側壁部材３０の外側には、スライダ６０の内側構成要素が取り付けてある。これにより、補助側壁部材３０は、ブラケット部材２０に対して前後方向に沿ってスライド移動可能である。
【００２１】
棚板４０は、販売商品が載置される部分であり、矩形状を成す棚枠４１の内部に載置板４２を支持させることによって構成してある。載置板４２は、例えばガラス板のように透明な矩形状の板状体である。
【００２２】
棚枠４１は、それぞれ板金等から形成した前枠部４１１、後枠部４１２及び左右一対の側枠部４１３を四周枠組みして構成したものである。かかる棚枠４１を構成する側枠部４１３には、図５に示すように、支持片部４３が設けてある。
【００２３】
支持片部４３は、前後方向が長手方向となる長尺状部材であり、側枠部４１３の内側下部に取り付けてある。この支持片部４３の前端部分の外側には、補助側壁部材３０の外側に配置される態様で下方に延在する下延部４３ａが形成してある。下延部４３ａには、棚支持貫通孔４３ａ１が形成してある。
【００２４】
このような棚板４０は、棚支持貫通孔４３ａ１を外側から貫通する棚支持軸４４が補助側壁部材３０の前端部分に貫通して取り付けられることにより、棚支持軸４４を中心に後端部が補助側壁部材３０に対して上下に揺動可能に配設してある。
【００２５】
このように棚板４０は、ブラケット部材２０の内側にスライダ６０を介して設けられた補助側壁部材３０に取り付けられることで、ブラケット部材２０間に架設され、図１に示したように、最も後方にスライドした収納状態と、最も前方にスライドした補充状態との間で、前面開口１ｂを通じて前後方向にスライド可能である。
【００２６】
上記棚板４０の棚枠４１を構成する前枠部４１１の左右両端部には、図６に示すように、下方に向けて延在する左右一対のストッパ支持片部４５が形成してある。これらストッパ支持片部４５には、図示せぬストッパ支持貫通孔が形成してある。
【００２７】
そして、これらストッパ支持片部４５間において、左右方向が長手方向となる長尺状のストッパ４６が、ストッパ４６支持貫通孔を外側から貫通するストッパ支持軸４７に取り付けられ、該ストッパ支持軸４７の中心軸回りに回転可能となる態様で架設してある。ここでストッパ支持軸４７は、左右方向に沿って延在する軸部である。
【００２８】
上記ストッパ４６は、図７に示すように、ストッパ支持軸４７の径方向外部に延在し、その延在端部が上方に屈曲されたフック部４６ａを有している。そして、ストッパ４６は、図８に示すようにブラケット部材２０の上壁部２２に形成されたストッパ用孔（孔部）２３にフック部４６ａが進入した場合には、棚板４０を後方にスライドした状態に保持する一方、図９に示すようにストッパ用孔２３から前記フック部４６ａが離脱した場合には、前記棚板４０が前方にスライドすることを許容するものである。
【００２９】
角度可変機構５０は、選択ユニット５０ａと突部５０ｂとを備えて構成してある。選択ユニット５０ａは、図１０に示すように、ベース部５１及びアーム部５２を備えて構成してある。ベース部５１は、例えば板金等から形成したものであり、上下方向に沿って延在するベース基部５１１と、ベース基部５１１の上端縁部より内側に向けて水平延在するベース天壁部５１２とを有している。
【００３０】
ベース天壁部５１２は、棚板４０の側枠部４１３の外側前端部分に例えば溶接等により接合されている。つまり、選択ユニット５０ａは、棚板４０の前端部に設けられている。
【００３１】
ベース基部５１１は、前方から後方に亘って上下寸法が一様なものであり、前端部に第１選択孔５３が形成してあり、後端部に第２選択孔５４が形成してある。
【００３２】
第１選択孔５３は、前後方向に沿って延在する異形孔である。この第１選択孔５３は、詳細は後述するが、棚板４０の傾斜角度を選択するための孔である。かかる第１選択孔５３は、前後方向に沿って直線状に延在する第１連通部５３１と、この第１連通部５３１より前後方向に並ぶ態様で下方に向けて延在する複数（図示の例では７つ）の第１規制部５３２とが連続して形成されて構成してある。ここで、第１連通部５３１に連続する第１規制部５３２は、前方に形成されたものほど該第１連通部５３１から下方への延在長さが大きくなり、それぞれの下延端部５３２ａは前方に向けて斜め下方に傾斜している。
【００３３】
第２選択孔５４は、前後方向に沿って延在する異形孔である。この第２選択孔５４は、詳細は後述するが、棚板４０の傾斜角度を選択するための孔である。かかる第２選択孔５４は、前後方向に沿って直線状に延在する第２連通部５４１と、この第２連通部５４１より前後方向に並ぶ態様で上方に向けて延在する複数（図示の例では７つ）の第２規制部５４２とが連続して形成されて構成してある。ここで、第２選択孔５４を構成する第２連通部５４１は、第１連通部５３１と同一の高さレベルに形成してある。
【００３４】
アーム部５２は、例えば板金等から形成したものであり、前後方向が長手方向となる長尺板状部材である。このアーム部５２は、第１選択孔５３を外側より貫通する第１選択ネジ５５が前端部に取り付けられており、第２選択孔５４を外側より貫通する第２選択ネジ５６が後端部に取り付けられている。
【００３５】
そのような選択ユニット５０ａにおいては、図１１の（ａ）に示すように、第１選択ネジ５５が第１選択孔５３における第１連通部５３１の前端部に配置されるとともに、第２選択ネジ５６が第２選択孔５４における最前の第２規制部５４２に配置される場合、アーム部５２は、前後方向に沿って水平に延在する水平姿勢となる。一方、図１１の（ｂ）及び（ｃ）に示すように、第１選択ネジ５５が第１選択孔５３におけるいずれかの第１規制部５３２の下延端部５３２ａに配置されるとともに、第２選択ネジ５６が第２選択孔５４におけるいずれかの第２規制部５４２に配置される場合、アーム部５２は、前方が漸次下方に傾斜する態様で延在する傾斜姿勢となる。
【００３６】
つまり、アーム部５２は、傾斜角度の大きさに応じて前後方向に沿って変位しつつ傾斜姿勢が変化する態様で設けられている。
【００３７】
突部５０ｂは、ブラケット部材２０の側壁部２１の前方部分の外側において、外方に突出する態様で設けてある。かかる突部５０ｂは、棚板４０が収納状態となる場合に、水平姿勢となるアーム部５２には接せず、傾斜姿勢となるアーム部５２に接する個所に設けてある。
【００３８】
以上のような構成を有するショーケースにおいては、図１１の（ａ）に示したように第１選択ネジ５５が第１選択孔５３における第１連通部５３１の前端部に配置されるとともに、第２選択ネジ５６が第２選択孔５４における最前の第２規制部５４２に配置される場合、アーム部５２が水平姿勢となる。この状態で棚板４０を収納状態にさせると、図１２に示すように、アーム部５２が突部５０ｂと接せず、棚板４０は、側枠部４１３が補助側壁部材３０の上端に載置された傾斜角度０°の水平延在姿勢になる。
【００３９】
このような水平延在姿勢にある棚板４０を、前端部が低くなる態様で傾斜させる場合には、図９に示したようにストッパ４６を回転させてフック部４６ａをストッパ用孔２３から離脱させ、図１３に示すように、棚板４０を前方にスライドさせて補充状態にさせる。
【００４０】
図１１の（ｂ）に示したように第１選択ネジ５５が第１選択孔５３における最前の第１規制部５３２の下延端部５３２ａに配置されるとともに、第２選択ネジ５６が第２選択孔５４における最前の第２規制部５４２の後端に配置される場合、アーム部５２は、前方が漸次下方に傾斜する傾斜姿勢となる。
【００４１】
アーム部５２が傾斜姿勢となる棚板４０を、図１４に示すように後方にスライドさせると、その後にアーム部５２が突部５０ｂに接して載置される。そして棚板４０を収納状態にさせると、図１５に示すように、棚板４０は、前端部が低くなる態様で所定の傾斜角度に傾斜した傾斜延在姿勢となる。
【００４２】
ところで、図１１の（ｃ）に示したように、第１選択ネジ５５が第１選択孔５３における最も後方の第１規制部５３２の下延端部５３２ａに配置されるとともに、第２選択ネジ５６が第２選択孔５４における最も後方の第２規制部５４２に配置される場合、アーム部５２は、後方に変位しつつ前方が漸次下方に傾斜する傾斜姿勢となる。
【００４３】
アーム部５２が傾斜姿勢となる棚板４０を、図１６に示すように後方にスライドさせると、アーム部５２が後方に変位しているので、図１４に示した場合よりも先にアーム部５２が突部５０ｂに接して載置される。これにより棚板４０は、僅かではあるが、前端部が低くなる態様で傾斜する。その後に棚板４０を更に後方にスライドさせることで収納状態にさせると、図１７に示すように、棚板４０は、図１５に示したものよりも大きな傾斜角度に傾斜した傾斜延在姿勢となる。
【００４４】
このように本実施の形態であるショーケースにおいては、角度可変機構５０が、棚板４０の傾斜角度を、予め決められた角度範囲の中から択一的に選択された大きさに可変させることができる。
【００４５】
以上説明したように、本発明の実施の形態であるショーケースによれば、商品載置棚１０を構成する棚板４０が、前端部が棚支持軸４４を介して補助側壁部材３０に支持され、棚支持軸４４を中心に後端部が補助側壁部材３０に対して上下に揺動可能に配設されており、角度可変機構５０が、棚板４０の傾斜角度を、予め決められた角度範囲の中から択一的に選択された大きさに可変させるので、棚板４０の傾斜角度を所望の大きさに変更することができる。しかも、角度可変機構５０を構成する選択ユニット５０ａが、棚板４０の前端部に設けられているので、棚板４０を前方にスライドさせることで容易に傾斜角度の選択動作を行うことができ、利便性の向上を図ることができる。更に、選択ユニット５０ａを構成するアーム部５２が、選択された傾斜角度の大きさに応じて前後方向に沿って変位しつつ傾斜姿勢が変化し、ブラケット部材２０に設けられた突部５０ｂに載置される場合に、棚板４０を選択された傾斜角度に傾斜させるので、傾斜角度によっては後方へスライドし始めた比較的早期のタイミングでアーム部５２を突部５０ｂに載置させることができ、その後における後方へのスライド可能量を十分に確保することで、棚板４０を緩やかに傾斜させることができ、操作性の向上を図ることができる。
【００４６】
上記ショーケースによれば、アーム部５２を載置させる突部５０ｂがブラケット部材２０に外側に突出する態様で設けられているので、ブラケット部材２０間における商品を載置するための有効容積には影響を与えない。従って、商品を載置するための有効容積が低減されることを抑制することができる。
【００４７】
上記ショーケースによれば、棚板４０の前端部にストッパ支持軸４７の軸心回りに回転可能に配設されたストッパ４６が、ブラケット部材２０に設けられたストッパ用孔２３にフック部４６ａが進入した場合には、棚板４０を後方にスライドした状態に保持する一方、ストッパ用孔２３からフック部４６ａが離脱した場合には、棚板４０が前方にスライドすることを許容するので、ストッパ４６をストッパ支持軸４７の軸心回りに回転させるだけで操作を行うことができる。よって、操作者は、ストッパ４６の任意の個所を持って回転させるだけでよく、操作性の向上を図ることができる。
【００４８】
以上、本発明の好適な実施の形態について説明したが、本発明はこれに限定されるものではなく、種々の変更を行うことができる。
【００４９】
上述した実施の形態では、アーム部５２が選択ユニット５０ａに設けられ、突部５０ｂがブラケット部材２０に設けられていたが、本発明においては、アーム部がブラケット部材に設けられ、突部が選択ユニットに設けられていてもよい。
【符号の説明】
【００５０】
１  ケース本体
１ｂ  前面開口
４  収納室
１０  商品載置棚
２０  ブラケット部材
３０  補助側壁部材
４０  棚板
４１  棚枠
４２  載置板
４３  支持片部
４４  棚支持軸
５０  角度可変機構
５０ａ  選択ユニット
５０ｂ  突部
５１  ベース部
５３  第１選択孔
５４  第２選択孔
５５  第１選択ネジ
５６  第２選択ネジ
６０  スライダ
【図１】
2020068975.tif 000003
【図２】
2020068975.tif 000004
【図３】
2020068975.tif 000005
【図４】
2020068975.tif 000006
【図５】
2020068975.tif 000007
【図６】
2020068975.tif 000008
【図７】
2020068975.tif 000009
【図８】
2020068975.tif 000010
【図９】
2020068975.tif 000011
【図１０】
2020068975.tif 000012
【図１１】
2020068975.tif 000013
【図１２】
2020068975.tif 000014
【図１３】
2020068975.tif 000015
【図１４】
2020068975.tif 000016
【図１５】
2020068975.tif 000017
【図１６】
2020068975.tif 000018
【図１７】
2020068975.tif 000019